(57)【要約】【課題】釣糸巻回胴部の前側で巻回量が多く、後側で巻回量が少なく巻けてスム−ズに釣糸放出が出来る魚釣用スピニングリ−ルを提供することである。【解決手段】リ−ル本体１内のスプ−ル軸６と平行に前後往復動機構のトラバ−スカム軸８が支承され、トラバ−スカム軸８の外周にカム溝８ａが刻設されてカム溝８ａはピッチ幅ａ、ｂ、ｃ、ｄ、ｅ、ｆが後側から前側に向けて漸次大きくなるようにａ＜ｂ＜ｃ＜ｄ＜ｅ＜ｆに形成されている。スプ−ル軸６の後方にビス１６で取り付けられた摺動子７の中の係合子はカム溝８ａに係合されている。スプ−ル５の外側は前側鍔部５ａと釣糸巻回胴部５ｂと円筒部５ｃを備えた後側鍔部５ｄが形成され、釣糸巻回胴部５ｂの糸巻面αは、スプ−ル軸６方向後方に向けて順次大径となるテ−パ状に形成されている。【選択図】        図１
2004242541.tif 000002
【特許請求の範囲】
【請求項１】
スプ−ルを前部に有するスプ−ル軸の後部に取り付けられる摺動子をリ−ル本体に支持され且つハンドルの回転により連動回転するトラバ−スカム軸のカム溝に係合してスプ−ル軸を前後往復動自在とした魚釣用スピニングリ−ルにおいて、前記スプ−ルの前側と後側に夫々鍔部を形成した釣糸巻回胴部の糸巻面を、スプ−ル軸方向後方に向けて順次大径となるテ−パ状に形成すると共に前記トラバ−スカム軸のカム溝のピッチ幅を後側から前側に向けて漸次大きくなるように形成したことを特徴とする魚釣用スピニングリ−ル。
【発明の詳細な説明】
【０００１】
【発明の属する技術分野】
本発明は、釣り糸の放出性の改良を図った魚釣用スピニングリ−ルの改良に関する。
【０００２】
【従来の技術】
【特許文献１】
実用新案登録第３００７５３１号公報（図１）
【特許文献２】
特開平１０−２０１４０３号公報（図１）
【０００３】
魚釣用スピニングリ−ルは、釣竿を振り下ろして釣糸を放出操作する際に、スプ−ルに充分な糸巻量を巻回したスプ−ルの後側鍔部近傍に巻回された釣糸は比較的スム−ズに繰り出されるが、前側鍔部近傍の釣糸は、前方へ螺旋状に放出される釣糸の勢いや釣糸相互の糸抵抗によって前鍔部の前方側に糸崩れしてしまい、スム−ズな釣糸放出操作が行えない。
そこで、スプ−ルの釣糸巻回胴部の糸巻面を前方から後方に向けて小径となる逆テ−パ形状に形成し、充分な糸巻量を巻回した糸巻状態からの前方への糸崩れの防止を図るようにしたものが従来から知られている。
（例えば、特許文献１及び特許文献２参照）
【０００４】
【発明が解決しようとする課題】
解決しようとする問題点は、前記特許文献１、特許文献２のように、スプ−ルの釣糸巻回胴部の糸巻面を逆テ−パ形状に形成することにより、最大釣糸巻回状態からの釣糸放出初期時においては、糸崩れ等のトラブルを防止でき、スム−ズな放出操作が出来るようになったが、遠方への放出操作に伴って釣糸巻回量が減少する釣糸放出操作後半においては、スプ−ルの前側鍔部及び逆テ−パ糸巻面の両方の抵抗が作用して、飛距離が伸びなくなる問題がある。
【０００５】
本発明の目的は前記欠点に鑑み、釣糸巻回胴部の前側で巻回量が多く、後側で巻回量が少なく巻けてスム−ズに釣糸放出が出来る魚釣用スピニングリ−ルを提供することである。
【０００６】
【課題を解決するための手段】
上記課題を解決するために、
請求項１に係わる本発明は、スプ−ルを前部に有するスプ−ル軸の後部に取り付けられる摺動子をリ−ル本体に支持され且つハンドルの回転により連動回転するトラバ−スカム軸のカム溝に係合してスプ−ル軸を前後往復動自在とした魚釣用スピニングリ−ルにおいて、前記スプ−ルの前側と後側に夫々鍔部を形成した釣糸巻回胴部の糸巻面を、スプ−ル軸方向後方に向けて順次大径となるテ−パ状に形成すると共に前記トラバ−スカム軸のカム溝のピッチ幅を後側から前側に向けて漸次大きくなるように形成したことを要旨とするものである。
【０００７】
【発明の実施の形態】
請求項１の本発明により、釣糸放出操作前半は、後方に向けて小径となる糸巻き状態（逆テ−パ糸巻き状態）から釣糸が繰り出されるので、釣糸相互の糸抵抗による前方への糸崩れ現象が防止できてトラブルなくスム−ズな放出操作が行えると共に、更に、釣糸放出操作後半は、後方に向けて大径となる糸巻き状態（正テ−パ糸巻き状態）から釣糸３２が繰り出されるので、釣糸相互の抵抗の影響を受けずに前側鍔部５ａのみの抵抗となり、放出後半時の飛距離が伸びることになる。
【０００８】
【実施例】
以下、図示の一実施例によって本発明を説明すると、図１は魚釣用スピニングリ−ルの要部断面側面図と要部拡大断面側面図、図２は釣糸放出操作前半のスプ−ルの側面図、図３は釣糸放出操作後半のスプ−ルの側面図である。
【０００９】
魚釣用スピニングリ−ルは、リ−ル本体１と図示しない蓋体の図示しない軸受で駆動歯車２の回動軸２ａが軸支され、回動軸２ａの中心多角形孔にハンドル１０が固定されたハンドル軸１１が左右交換自在に挿入嵌合されている。
リ−ル本体１の前部には軸受１２で回転軸筒３が回転自在に軸受されると共に前側に突出されている。
軸受１２より前側の回転軸筒３の外周に逆転防止歯車１３が回り止め嵌合されてその前側にロ−タ４の筒部４ａが回り止め嵌合されてナット１４で固定されている。
【００１０】
回転軸筒３の基端３ａは軸受部１ａの透孔１ｂで軸承されている。
回転軸筒３の基端３ａの前側に一体的にピニオン３ｂと連動歯車３ｃが形成されてピニオン３ｂに駆動歯車２が噛合されてロ−タ４はハンドル１０の回転に連動して回転されるように支持されている。
回転軸筒３の中心孔には先端部にスプ−ル５が装着されたスプ−ル軸６が前後往復動可能に摺動自在に挿入され、スプ−ル軸６の後方には前後往復動機構の摺動子７が嵌合されて摺動子７に係止板１５が重ねられてビス１６で取り付けられている。
リ−ル本体１内の下側には案内面１ｃが形成されて摺動子７から突出された下側部が当接されている。
【００１１】
リ−ル本体１内のスプ−ル軸６と平行に前後往復動機構のトラバ−スカム軸８が支承されている。
トラバ−スカム軸８は軸受部１ａの透孔１ｄとリ−ル本体１の後側の軸受１７に軸承されている。
トラバ−スカム軸８の先端には小歯車１８が回り止め嵌合されてＥリング１９で抜け止めされ、小歯車１８は連動歯車３ｃに噛合されている。
トラバ−スカム軸８の外周にカム溝８ａが刻設されている。
カム溝８ａはピッチ幅ａ、ｂ、ｃ、ｄ、ｅ、ｆがリ−ル本体１の後側からスプ−ル５の前側に向けて漸次大きくなるようにａ＜ｂ＜ｃ＜ｄ＜ｅ＜ｆに形成されている。
摺動子７の中には図示しない係合子が設けられて係合子はカム溝８ａに係合されている。
【００１２】
ロ−タ４は筒部４ａで回転軸筒２に取り付けられ、筒部４ａと前壁４ｂと大径の筒部４ｃと大径の筒部４ｃの基部の外周から前方に向けて突出された一対の支持腕４ｄ、４ｅとで形成されて支持腕４ｄ、４ｅに凹部４ｆ、４ｇが形成されている。
凹部４ｇの後壁に隙間４ｈが形成され、反転部材２０が出没自在に設けられている。
凹部４ｆ、４ｇに軸部４ｉ、４ｊが形成されている。
【００１３】
一対のベ−ル支持腕４ｄ、４ｅの軸部４ｉ、４ｊに夫々一方のベ−ル支持部材９の透孔と他方のベ−ル支持部材９′の透孔が嵌合されて押え板２１、２２挾んで夫々ビス２３、２４で止められている。
一対のベ−ル支持腕４ｄ、４ｅの外側は夫々カバ−２５、２６で覆われてビス２７と図示しないビスで止められている。
一方のベ−ル支持部材９には釣糸案内ロ−ラ２８の取付部２９が取り付けられている。
他方のベ−ル支持部材９′と釣糸案内ロ−ラ２８の取付部２９の間にベ−ル３０が取り付けられている。
リ−ル本体１のリ−ル脚部１ｅには一方のベ−ル支持部材９が放出状態にある時衝接される衝接部材３１が突出して設けられている。
【００１４】
スプ−ル５の外側は前側鍔部５ａと釣糸巻回胴部５ｂと円筒部５ｃを備えた後側鍔部５ｄが形成されている。
釣糸巻回胴部５ｂの糸巻面αは、スプ−ル軸６方向後方に向けて順次大径となるテ−パ状に形成されている。
【００１５】
前記魚釣用スピニングリ−ルの動作は、ハンドル１０が回転されると、駆動歯車２が回転されてピニオン３ｂを介して回転軸筒３が回転され、ロ−タ４が回転される。
更に連動歯車３ｃと小歯車１８を介してトラバ−スカム軸８が連動回転されて摺動子７とスプ−ル軸６とスプ−ル５が前後に往復動される。
【００１６】
摺動子７とスプ−ル軸６とスプ−ル５の前後往復動は、トラバ−スカム軸８のカム溝８ａがピッチ幅ａ、ｂ、ｃ、ｄ、ｅ、ｆで後側から前側に向けて漸次大きくなるように形成されているので、摺動子７とスプ−ル軸６とスプ−ル５の前後動速度は前方に移動する往動時に除々に速くなり、そして、後方に移動する時復動時に除々に遅くなる非等速となり、スプ−ル５に巻回される釣糸３２は釣糸巻回胴部５ｂの後側で粗に巻回され、釣糸巻回胴部５ｂの前側で密に巻回されて図２の前側の糸巻径が後側に比べて大きく逆テ−パ状態に釣糸案内ロ−ラ２８を介して巻回される。
釣糸が放出される時は、ベ−ル３０が放出状態に反転されてスプ−ル５から直接放出される。
【００１７】
前記のような釣糸巻回状態となる構成としているので、図２の釣糸放出操作前半は、後方に向けて小径となる糸巻き状態（逆テ−パ糸巻き状態）から釣糸３２が繰り出されるので、釣糸相互の糸抵抗による前方への糸崩れ現象が防止できてトラブルなくスム−ズな放出操作が行えると共に、更に、図３の釣糸放出操作後半は、後方に向けて大径となる糸巻き状態（正テ−パ糸巻き状態）から釣糸３２が繰り出されるので、釣糸相互の抵抗の影響を受けずに前側鍔部５ａのみの抵抗となり、放出後半時の飛距離が伸びる。
【００１８】
前記のように魚釣用スピニングリ−ルが構成されると、釣糸放出操作前半は、後方に向けて小径となる糸巻き状態（逆テ−パ糸巻き状態）から釣糸３２が繰り出されるので、釣糸相互の糸抵抗による前方への糸崩れ現象が防止できてトラブルなくスム−ズな放出操作が行えると共に、更に、釣糸放出操作後半は、後方に向けて大径となる糸巻き状態（正テ−パ糸巻き状態）から釣糸３２が繰り出されるので、釣糸相互の抵抗の影響を受けずに前側鍔部５ａのみの抵抗となり、放出後半時の飛距離が伸びることになる。
【００１９】
【発明の効果】
本発明は、以上説明したような形態で実施され、以下に記載されるような効果を奏する。
【００２０】
請求項１により、釣糸放出操作前半は、後方に向けて小径となる糸巻き状態（逆テ−パ糸巻き状態）から釣糸が繰り出されるので、釣糸相互の糸抵抗による前方への糸崩れ現象が防止できてトラブルなくスム−ズな放出操作が行えると共に、更に、釣糸放出操作後半は、後方に向けて大径となる糸巻き状態（正テ−パ糸巻き状態）から釣糸が繰り出されるので、釣糸相互の抵抗の影響を受けずに前側鍔部のみの抵抗となり、放出後半時の飛距離が伸びることになる。
【図面の簡単な説明】
【図１】魚釣用スピニングリ−ルの要部断面側面図と要部拡大断面側面図である。
【図２】釣糸放出操作前半のスプ−ルの側面図である。
【図３】釣糸放出操作後半のスプ−ルの側面図である。
【符号の説明】
１  リ−ル本体
５  スプ−ル
５ａ  前側鍔部
５ｂ  釣糸巻回胴部
５ｄ  後側鍔部
６  スプ−ル軸
８  トラバ−スカム軸
８ａ  カム溝
α  糸巻面
ａ、ｂ、ｃ、ｄ、ｅ、ｆ  ピッチ幅
【図１】
2004242541.tif 000003
【図２】
2004242541.tif 000004
【図３】
2004242541.tif 000005